(57)【要約】【課題】引戸収納ドアに対して引戸を安定して出し入れ可能な引戸ユニット及び簡易ブースを提供する。【解決手段】本発明の簡易ブース１０では、引戸４０のスライド操作によりブース本体１１の出入口１６を開閉可能な状態になる。その引戸４０のスライド操作の際、引戸収納ドア２１は、下面が床面Ｙに当接して回動を規制されているので、引戸４０を安定して引戸収納ドア２１に対して出し入れすることができる。また、操作レバー６０を操作すれば、ドア支持キャスター５１が可動範囲の下端位置へと押し下げられて床面Ｙに押し付けられ、引戸収納ドア２１を容易に回動させることが可能になる。これにより、簡易ブース１０の折り畳み作業も容易に行うことができる。【選択図】図２
2017218730.tif 000002
【特許請求の範囲】
【請求項１】
回動可能に支持されかつ中空構造の引戸収納ドアと、
前記引戸収納ドアのうち回動中心と反対側の端面に形成された引出口を通して、前記引戸収納ドアに収納可能な引戸とを備え、前記引戸の戸先側端部以外の全体が前記引戸収納ドア内に収納された収納完了位置と、前記引戸の戸尻側端部以外の全体が前記引戸収納ドア外に引き出された引出完了位置との間で前記引戸をスライド操作可能な引戸ユニットであって、
前記引戸の前記戸先側端部に取り付けられ、前記引戸のスライド方向で床面上を転動可能な引戸支持ローラーと、
前記引戸収納ドアの下面に設けられ、前記床面に当接して前記引戸収納ドアの回動を規制するドア回動規制部と、
前記引戸収納ドアのうち前記引出口側端部の下部に上下動可能に支持されたドア支持キャスターと、
操作部を有し、その操作部の操作により前記ドア支持キャスターを可動範囲の上端位置から下端位置へと移動して前記床面に押し付け、前記引戸支持ローラー及び前記ドア回動規制部が前記床面から離間する位置まで前記引戸収納ドアを上昇させる昇降機構とを備える引戸ユニット。
【請求項２】
前記昇降機構は、前記引戸が前記収納完了位置に位置しているときに前記操作部が受ける操作力を前記ドア支持キャスターに伝達する一方、前記引戸が前記収納完了位置以外に位置しているときに前記操作部から前記ドア支持キャスターへの操作力の伝達を遮断するように構成されている請求項１に記載の引戸ユニット。
【請求項３】
前記昇降機構は、
前記引戸収納ドアのうち前記引出口側端部における前記引戸より下側部分に上下動可能に支持されると共に下面に前記ドア支持キャスターを有しかつ、前記操作部の操作により上下方向で伸縮して伸張状態と縮小状態とに切り替わる伸縮部と、
前記引戸のうち前記収納完了位置で前記伸縮部に上方から対向する部分に設けられ、前記伸縮部が前記縮小状態から前記伸張状態へと切り替わることで前記ドア支持キャスターが前記下端位置に押し下げられるように前記伸縮部の上方への移動を規制する上方移動規制部と、
前記引戸のうち前記収納完了位置以外の位置で前記伸縮部に上方から対向する部分に設けられ、前記伸縮部が前記縮小状態から前記伸張状態へと切り替わっても前記ドア支持キャスターが前記上端位置に維持されるように前記伸縮部の上方への移動を許容する上方移動許容部とを備える請求項１又は２に記載の引戸ユニット。
【請求項４】
前記伸縮部が前記伸張状態で前記引戸が前記収納完了位置に向かって移動したときに、前記上方移動規制部が前記伸縮部に乗り上がるように案内する乗上案内部を備える請求項３に記載の引戸ユニット。
【請求項５】
前記上方移動規制部又は前記伸縮部の一方に、前記引戸のスライド方向で転動するローラーが設けられ、他方に、前記引戸のスライド方向で傾斜した前記乗上案内部としての乗上斜面が設けられている請求項４に記載の引戸ユニット。
【請求項６】
前記引戸収納ドアには、前記引出口側端部における前記引戸より下側部分を上下に貫通する直動支持孔が設けられ、
前記伸縮部は、
前記直動支持孔に回転不能かつ上下動可能に支持されている第１直動部材と、
前記直動支持孔に回転可能かつ上下動可能で、前記第１直動部材に対して上側又は下側から当接し、前記操作部により回転操作される第２直動部材と、
前記第１直動部材のうち前記第２直動部材に対する当接面に形成され、複数の第１山形突部を垂直軸回りに並べてなる第１凹凸係合部と、
前記第２直動部材のうち前記第１直動部材に対する当接面に形成され、複数の第２山形突部を垂直軸回りに並べてなる第２凹凸係合部とを備え、
前記第２直動部材が前記第１直動部材に対して第１回転位置に配置されると、前記第１山形突部同士の間の谷部に前記第２山形突部が凹凸係合して前記伸縮部が前記縮小状態となり、前記第２直動部材が前記第１直動部材に対して第２回転位置に配置されると、前記第１山形突部の頂上部と前記第２山形突部の頂上部とが当接して前記伸縮部が前記伸張状態となる請求項５に記載の引戸ユニット。
【請求項７】
前記第１山形突部及び前記第２山形突部の両前記頂上部には、互いに面当接可能な平坦面が形成されている請求項６に記載の引戸ユニット。
【請求項８】
床面上で起立し、互いに対向する１対の対向壁の一方の側部同士の間を連絡壁にて連絡してなり、前記ブース本体のうち前記１対の対向壁の他方の側部同士の間が出入口をなし、前記１対の対向壁と前記連絡壁とを重ねた状態に折り畳み可能なブース本体と、
請求項１乃至７の何れか１の請求項に記載の引戸ユニットとを備えてなり、
前記引戸収納ドアは、一方の前記対向壁における前記出入口の一開口縁にヒンジ連結されて、前記一方の対向壁に重ねられる第１回動位置と、前記一方の対向壁に対して直交する第２回動位置との間を回動し、
前記引戸収納ドアが前記第２回動位置で前記引戸が前記収納完了位置と前記引出完了位置との間を移動することで前記出入口の一部が開閉される簡易ブース。
【発明の詳細な説明】
【技術分野】
【０００１】
本発明は、回動可能に支持されかつ中空構造の引戸収納ドアに引戸を出し入れ可能に備えた引戸ユニット及び、その引戸ユニットを有する簡易ブースに関する。
【背景技術】
【０００２】
従来、この種の引戸ユニットとして、引戸収納ドアの下部にドア支持キャスターを上下動可能に備えたものが知られている。この引戸ユニットでは、引戸が引戸収納ドアから引き出された状態では、ドア支持キャスターが可動範囲の上端位置に位置して引戸収納ドアの下面が床面に当接し、引戸収納ドアが回動不能になる一方、引戸が引戸収納ドアに収納されると、その引戸によってドア支持キャスターが可動範囲の下端位置に押し下げられて引戸収納ドアの下面が床面から離間し、引戸収納ドアが回動可能になる（例えば、特許文献１参照）。
【先行技術文献】
【特許文献】
【０００３】
【特許文献１】特許４９６３１３７号公報（段落［００５６］，［００５７］，図９，１０）
【発明の概要】
【発明が解決しようとする課題】
【０００４】
しかしながら、上記した従来の引戸ユニットでは、引戸収納ドアを回動操作しない場合であっても引戸を引戸収納ドアに収納する度にドア支持キャスターが可動範囲の下端位置に押し下げられて引戸収納ドアが回動可能な不安定な状態になるという問題があった。
【０００５】
本発明は、上記事情に鑑みてなされたもので、引戸収納ドアに対して引戸を安定して出し入れ可能な引戸ユニット及び簡易ブースの提供を目的とする。
【課題を解決するための手段】
【０００６】
上記目的を達成するためになされた請求項１の発明は、回動可能に支持されかつ中空構造の引戸収納ドアと、前記引戸収納ドアのうち回動中心と反対側の端面に形成された引出口を通して、前記引戸収納ドアに収納可能な引戸とを備え、前記引戸の戸先側端部以外の全体が前記引戸収納ドア内に収納された収納完了位置と、前記引戸の戸尻側端部以外の全体が前記引戸収納ドア外に引き出された引出完了位置との間で前記引戸をスライド操作可能な引戸ユニットであって、前記引戸の前記戸先側端部に取り付けられ、前記引戸のスライド方向で床面上を転動可能な引戸支持ローラーと、前記引戸収納ドアの下面に設けられ、前記床面に当接して前記引戸収納ドアの回動を規制するドア回動規制部と、前記引戸収納ドアのうち前記引出口側端部の下部に上下動可能に支持されたドア支持キャスターと、操作部を有し、その操作部の操作により前記ドア支持キャスターを可動範囲の上端位置から下端位置へと移動して前記床面に押し付け、前記引戸支持ローラー及び前記ドア回動規制部が前記床面から離間する位置まで前記引戸収納ドアを上昇させる昇降機構とを備える引戸ユニットである。
【０００７】
請求項２の発明は、前記昇降機構は、前記引戸が前記収納完了位置に位置しているときに前記操作部が受ける操作力を前記ドア支持キャスターに伝達する一方、前記引戸が前記収納完了位置以外に位置しているときに前記操作部から前記ドア支持キャスターへの操作力の伝達を遮断するように構成されている請求項１に記載の引戸ユニットである。
【０００８】
請求項３の発明は、前記昇降機構は、前記引戸収納ドアのうち前記引出口側端部における前記引戸より下側部分に上下動可能に支持されると共に下面に前記ドア支持キャスターを有しかつ、前記操作部の操作により上下方向で伸縮して伸張状態と縮小状態とに切り替わる伸縮部と、前記引戸のうち前記収納完了位置で前記伸縮部に上方から対向する部分に設けられ、前記伸縮部が前記縮小状態から前記伸張状態へと切り替わることで前記ドア支持キャスターが前記下端位置に押し下げられるように前記伸縮部の上方への移動を規制する上方移動規制部と、前記引戸のうち前記収納完了位置以外の位置で前記伸縮部に上方から対向する部分に設けられ、前記伸縮部が前記縮小状態から前記伸張状態へと切り替わっても前記ドア支持キャスターが前記上端位置に維持されるように前記伸縮部の上方への移動を許容する上方移動許容部とを備える請求項１又は２に記載の引戸ユニットである。
【０００９】
請求項４の発明は、前記伸縮部が前記伸張状態で前記引戸が前記収納完了位置に向かって移動したときに、前記上方移動規制部が前記伸縮部に乗り上がるように案内する乗上案内部を備える請求項３に記載の引戸ユニットである。
【００１０】
請求項５の発明は、前記上方移動規制部又は前記伸縮部の一方に、前記引戸のスライド方向で転動するローラーが設けられ、他方に、前記引戸のスライド方向で傾斜した前記乗上案内部としての乗上斜面が設けられている請求項４に記載の引戸ユニットである。
【００１１】
請求項６の発明は、前記引戸収納ドアには、前記引出口側端部における前記引戸より下側部分を上下に貫通する直動支持孔が設けられ、前記伸縮部は、前記直動支持孔に回転不能かつ上下動可能に支持されている第１直動部材と、前記直動支持孔に回転可能かつ上下動可能で、前記第１直動部材に対して上側又は下側から当接し、前記操作部により回転操作される第２直動部材と、前記第１直動部材のうち前記第２直動部材に対する当接面に形成され、複数の第１山形突部を垂直軸回りに並べてなる第１凹凸係合部と、前記第２直動部材のうち前記第１直動部材に対する当接面に形成され、複数の第２山形突部を垂直軸回りに並べてなる第２凹凸係合部とを備え、前記第２直動部材が前記第１直動部材に対して第１回転位置に配置されると、前記第１山形突部同士の間の谷部に前記第２山形突部が凹凸係合して前記伸縮部が前記縮小状態となり、前記第２直動部材が前記第１直動部材に対して第２回転位置に配置されると、前記第１山形突部の頂上部と前記第２山形突部の頂上部とが当接して前記伸縮部が前記伸張状態となる請求項５に記載の引戸ユニットである。
【００１２】
請求項７の発明は、前記第１山形突部及び前記第２山形突部の両前記頂上部には、互いに面当接可能な平坦面が形成されている請求項６に記載の引戸ユニットである。
【００１３】
請求項８の発明は、床面上で起立し、互いに対向する１対の対向壁の一方の側部同士の間を連絡壁にて連絡してなり、前記ブース本体のうち前記１対の対向壁の他方の側部同士の間が出入口をなし、前記１対の対向壁と前記連絡壁とを重ねた状態に折り畳み可能なブース本体と、請求項１乃至７の何れか１の請求項に記載の引戸ユニットとを備えてなり、前記引戸収納ドアは、一方の前記対向壁における前記出入口の一開口縁にヒンジ連結されて、前記一方の対向壁に重ねられる第１回動位置と、前記一方の対向壁に対して直交する第２回動位置との間を回動し、前記引戸収納ドアが前記第２回動位置で前記引戸が前記収納完了位置と前記引出完了位置との間を移動することで前記出入口の一部が開閉される簡易ブースである。
【発明の効果】
【００１４】
請求項１の引戸ユニットでは、引戸を収納完了位置まで押し込んでも、操作部により、ドア支持キャスターを可動範囲の下端位置へと移動するための操作を行っていなければ、ドア回動規制部が床面に当接した状態になって引戸収納ドアの回動が規制される。これにより、引戸収納ドアに対して引戸を安定して出し入れすることができる。また、必要に応じて操作部を操作すれば、ドア支持キャスターが可動範囲の下端位置へと押し下げられて床面に押し付けられ、引戸支持ローラー及びドア回動規制部が床面から離間する。これにより、引戸収納ドアを容易に回動させることができる。
【００１５】
請求項２の引戸ユニットでは、引戸が引戸ユニットの収納完了位置まで押し込まれていなければ、操作部を操作してもドア支持キャスターが下端位置に押し下げられない。これにより、引戸が引戸収納ドアから引き出された状態で引戸収納ドアが回動することが規制され、引戸ユニットに過大な負荷がかかることが防がれる。
【００１６】
引戸が収納完了位置に位置していなければ、操作部を操作してもドア支持キャスターが下端位置に押し下げられない具体的な構成としては、請求項３の構成が挙げられ、それ以外に、例えば操作部をロックするロック位置とそのロックを解除するロック解除位置といの間で移動するロック部材を引戸収納ドアに設け、引戸が収納完了位置以外に位置しているときにロック部材がロック位置に配置されて操作部が操作不能になり、引戸が収納完了位置に位置しているときに引戸によってロック部材がロック解除位置に移動されて操作部が操作可能になる構成が挙げられる。
【００１７】
請求項４及び５の引戸ユニットでは、伸縮部を予め伸張状態にしていてから引戸を収納完了位置に向かって移動させることで、ドア支持キャスターを下端位置に押し下げることができる。即ち、従来と同様の使い方も可能になる。
【００１８】
請求項６の構成によれば、第１直動部材と第２直動部材とを備えてなる伸縮部において、操作部にて第２直動部材を回動させることで、第１直動部材の第１凹凸係合部と第２直動部材の第２凹凸係合部とが互いに凹凸係合した縮小状態と、互いの突部の頂上部同士が当接した伸張状態とになる。その際、第１凹凸係合部の突部である第１山形突部の斜面と、第２凹凸係合部の突部である第２山形突部の斜面とが摺接し、引戸収納ドアを昇降させることができる。
【００１９】
請求項７の構成によれば、第１山形突部及び第２山形突部の両頂上部の平坦面同士を当接させることで、伸縮部を伸張状態に保持することができる。
【００２０】
請求項８の発明によれば、簡易ブースの出入口を開閉する引戸を安定してかつ容易に引戸収納ドアに対して出し入れすることができる。
【図面の簡単な説明】
【００２１】
【図１】（Ａ）本発明に係る第１実施形態の簡易ブースの平面図、（Ｂ）引戸を開いた状態の簡易ブースの平面図、
【図２】簡易ブースの正面図
【図３】（Ａ）引戸ユニットを畳んだ状態の簡易ブースの平面図、（Ｂ）ブース本体の一部を畳んだ状態の簡易ブースの平面図、
【図４】折畳状態の簡易ブースの平面図
【図５】引戸収納ドアの底面図
【図６】（Ａ）図１のＡ−Ａ切断面における断面図，（Ｂ）図１のＢ−Ｂ切断面における断面図
【図７】引戸収納ドアの下面が床面に当接した状態の側断面図
【図８】引戸収納ドアの下面が床面から離間した状態の側断面図
【図９】伸縮部とドア支持キャスターの側断面図
【図１０】回転支柱の平面図
【図１１】（Ａ）縮小状態の伸縮部とドア支持キャスターの側断面図、（Ｂ）伸張状態の伸縮部とドア支持キャスターの側断面図、
【図１２】第２実施形態の引戸ユニットの側断面図
【図１３】図１２におけるＣ−Ｃ断面の引戸ユニットの側断面図
【図１４】（Ａ）回転支柱が第１の回転位置に配置された引戸ユニットの平断面図、（Ｂ）回転支柱が第２の回転位置に配置された引戸ユニットの平断面図
【図１５】引戸収納ドアの下面が床面に当接した状態の引戸ユニットの側断面図
【図１６】引戸収納ドアの下面が床面から離間した状態の引戸ユニットの側断面図
【発明を実施するための形態】
【００２２】
［第１実施形態］
以下、本発明の一実施形態を図１〜図１１に基づいて説明する。図１（Ａ）には、本実施形態の簡易ブース１０が示されている。この簡易ブース１０は、床面Ｙ（図２参照）上の任意の位置に載置して使用されるもので、互いに対向する第１と第２の対向壁１３，１４の一方の側部同士の間を連絡壁１５にて連絡してなるブース本体１１を備えている。そして、ブース本体１１のうち連絡壁１５に対向する出入口１６が本発明に係る引戸ユニット２０によって開閉されるようになっている。
【００２３】
詳細には、第１対向壁１３と連絡壁１５は、共に平坦な板状をなし、第１対向壁１３より連絡壁１５の横幅が大きくなっている。また、第２対向壁１４は、第１対向壁１３と平行な平坦部１４Ａを横方向の中間部分に備え、その平坦部１４Ａと連絡壁１５とに連続する第１湾曲部１４Ｂと、連絡壁１５の反対側でブース本体１１の内側に迫り出すように湾曲した第２湾曲部１４Ｃとを備える。
【００２４】
ブース本体１１には、両端寄り位置には第１と第２の縦割分割面１５Ａ，１５Ｂが備えられ、それら第１と第２の縦割分割面１５Ａ，１５Ｂをそれぞれ挟んだ両側部分が第１と第２の本体折畳用ヒンジＨ１，Ｈ２により回動可能に連結されている。そして、図３（Ｂ）に示すように、第１対向壁１３が連絡壁１５の内側に重ねられ、さらにその第１対向壁１３の外側に第２対向壁１４が重ねられて、ブース本体１１が図４に示した折畳状態になる。
【００２５】
また、図１（Ａ）に示すように、第２対向壁１４と連絡壁１５の各内面には、手摺り１４Ｔ，１５Ｔが設けられている。手摺り１４Ｔは、第２対向壁１４の平坦部１４Ａから第１湾曲部１４Ｂに亘って形成されて一部が第１湾曲部１４Ｂに沿って湾曲している。また、手摺り１５Ｔは、連絡壁１５のうち第１と第２の本体折畳用ヒンジＨ１，Ｈ２の間で水平直線上に延びている。そして、図４に示すように、ブース本体１１が折畳状態になると、一方の手摺り１４Ｔが第１対向壁１３と第２対向壁１４との間に収まり、他方の手摺り１５Ｔが第１対向壁１３と連絡壁１５との間に収まる。
【００２６】
引戸ユニット２０は、偏平箱形の引戸収納ドア２１に引戸４０を出し入れ可能に備えてなる。図６（Ａ）に示すように、引戸収納ドア２１は、上面壁２３及び下面壁２４と、回動中心側の第１幅狭側壁２５及びその反対側の第２幅狭側壁２６と、さらに、引戸収納ドア２１の厚さ方向で対向する１対の側壁２２，２２とを備えている。なお、側壁２２は、上面壁２３、下面壁２４、第１及び第２の幅狭側壁２５，２６より薄くなっている。
【００２７】
図１（Ｂ）に示すように、引戸収納ドア２１における第１幅狭側壁２５側の端部は、第１対向壁１３における出入口１６の開口縁にドア用ヒンジＨ３にて連結されている。そして、第１幅狭側壁２５の外面がブース本体１１の第１対向壁１３の内面における出入口１６の開口縁に重なった第１位置（図１（Ｂ）参照）と、一方の側壁２２の外面が第１対向壁１３の外面に重なった第２位置（図３（Ａ）参照）との間を回動する。
【００２８】
図６（Ａ）に示すように、引戸収納ドア２１の上面壁２３の下面には、その幅方向の中央に下面開放の角溝形のガイドレール２７が取り付けられている。また、下面壁２４の上面には、その幅方向の中央に断面四角形のレール台座２８が固定されて、その上に上面開放の角溝形のガイドレール２９が取り付けられている。さらに、そのガイドレール２９の底面の幅方向中央には、ローラーガイド３０が取り付けられている。また、ローラーガイド３０の上面は、Ｖ字形ガイド面３０Ｇになっている。なお、ローラーガイド３０とガイドレール２９の両側部との間の隙間は、１対の角材３０Ｋ，３０Ｋによって埋められている。
【００２９】
上記したレール台座２８，ガイドレール２９、ローラーガイド３０及び角材３０Ｋは、下面壁２４のうち第１幅狭側壁２５側端部から第２幅狭側壁２６側端部の手前位置まで延びている。そして、図７に示すように、下面壁２４における第２幅狭側壁２６側端部には、上下に貫通する貫通孔２４Ａが備えられている。
【００３０】
貫通孔２４Ａの断面は、略正方形になっていて、その略正方形の各辺は引戸収納ドア２１の側面に対して僅かに傾斜している。具体的には、図５に示すように、貫通孔２４Ａの断面である略正方形の図心と引戸収納ドア２１の回動中心とを結ぶ回動半径線Ｌ１に対し、貫通孔２４の断面の略正方形の２辺が平行に配置されている。
【００３１】
図７に示すように、貫通孔２４Ａには、断面正方形の支持筒体３１が嵌合していてレール台座２８の僅か上方となる位置まで突出している。そして、その支持筒体３１の内側が本発明に係る直動支持孔３１Ａになっていて、そこに本発明に係るドア支持キャスター５１が収容されている。図９に示すように、ドア支持キャスター５１は、下面開放の角溝形状のベース部５２を有し、そのベース部５２の対向壁５２Ｔ，５２Ｔの間に、１対のローラー５３，５３を貫通する支持シャフト５３Ｓが差し渡された構造をなしている。ベース部５２の平面形状は略正方形になっていて、その正方形に１対のローラー５３，５３全体が収まっている。また、ローラー５３，５３の下端部は、ベース部５２の対向壁５２Ｔより下方に突出している。そして、支持シャフト５３Ｓが回動半径線Ｌ１（図５参照）と平行になった状態でベース部５２が直動支持孔３１Ａ内に収容されて直動可能かつ回転不能に支持されている。なお、ローラー５３の外周面は膨出するように湾曲した形状になっている（図９参照）。
【００３２】
直動支持孔３１Ａのうちドア支持キャスター５１の上端部には、昇降キャップ５４が嵌合されている。昇降キャップ５４は、断面略正方形の嵌合筒部５４Ａの上端部を、平面形状略正方形の天板５４Ｂで閉塞してなり、天板５４Ｂの外縁部が嵌合筒部５４Ａより側方に張り出している。そして、嵌合筒部５４Ａが直動支持孔３１Ａに直動可能かつ回転不能に嵌合され、天板５４Ｂが支持筒体３１の上端に当接して、昇降キャップ５４が可動範囲の下端位置に位置決めされる。
【００３３】
天板５４Ｂの上面は、第２幅狭側壁２６に近い側の略半分の範囲が第２幅狭側壁２６に向かって緩やかに下るように傾斜したガイド面５４Ｃをなし、残り半分が水平な平坦面５４Ｄになっている。
【００３４】
天板５４Ｂの下面のうち嵌合筒部５４Ａ内に位置する部分には、固定支柱５５が固定され、固定支柱５５と昇降キャップ５４とから本発明に係る「第１直動部材」が構成されている。また、嵌合筒部５４Ａ内には、固定支柱５５の下方に回転支柱５７が回転可能かつ直動可能に収容されている。回転支柱５７は、本発明に係る「第２直動部材」に相当し、この回転支柱５７と固定支柱５５及び昇降キャップ５４とから本発明に係る伸縮部５９が構成されている。
【００３５】
固定支柱５５及び回転支柱５７は、同一外径の円柱体の端面に互いに凹凸係合可能な第１と第２の凹凸係合部５５Ａ，５７Ａを備えてなる。図１０には、回転支柱５７の第２の凹凸係合部５７Ａの平面形状が示されている。具体的には、回転支柱５７の端面の中心部には平坦部５７Ｚが備えられ、その平坦部５７Ｚを囲む環状部分の全体が上方に突出している。そして、その環状部分には、複数（例えば、４つ）の山形突部５８が周方向に均等分する位置に備えられて第２の凹凸係合部５７Ａが構成されている。それら各山形突部５８は頂上部５８Ａが水平な平坦面をなし、頂上部５８Ａに対する図１０の時計回り方向に緩やかに下る傾斜面５８Ｂを備える一方、その反対側に垂直面５８Ｃを備えている。また、各山形突部５８の傾斜面５８Ｂとその隣の山形突部５８の垂直面５８Ｃとの間の谷部５８Ｈは、頂上部５８Ａの平坦面と略同一形状の平坦面になっている。
【００３６】
第１の凹凸係合部５５Ａは、第２の凹凸係合部５７Ａの上下を反転させた形状をなし、第２の凹凸係合部５７Ａと同様に、頂上部５６Ａの両側に傾斜面５６Ｂと垂直面５６Ｃとを有する複数の山形突部５６と複数の谷部５６Ｈとを有している。そして、回転支柱５７が固定支柱５５に対して、図１１（Ａ）に示した第１の回転位置に配置されると、伸縮部５９は、第１の凹凸係合部５５Ａの山形突部５６及び谷部５６Ｈが、第２の凹凸係合部５７Ａの谷部５８Ｈ及び山形突部５８に凹凸係合した縮小状態になる。伸縮部５９が縮小状態になると、昇降キャップ５４の嵌合筒部５４Ａ内に回転支柱５７の全体が収まり、固定支柱５５と回転支柱５７とドア支持キャスター５１とを合わせた上下方向の全長が支持筒体３１より僅かに短くなって支持筒体３１内に収まる。
【００３７】
また、回転支柱５７が固定支柱５５に対して図１１（Ｂ）に示した第２の回転位置に配置されると、伸縮部５９は、第１の凹凸係合部５５Ａの山形突部５６の頂上部５６Ａと、第２の凹凸係合部５７Ａの山形突部５８の頂上部５８Ａとが当接した伸張状態になる。伸縮部５９が伸張状態になると、回転支柱５７が嵌合筒部５４Ａから下方に突出すると共に、固定支柱５５と回転支柱５７とドア支持キャスター５１とを合わせた上下方向の全長が支持筒体３１より僅かに大きくなり、ドア支持キャスター５１が支持筒体３１の下方に突出するか（図１１（Ｂ）参照）、昇降キャップ５４の天板５４Ｂが支持筒体３１から上方に離間する（図示せず）。
【００３８】
図７に示すように、回転支柱５７を第１の回転位置と第２の回転位置とに移動操作するために、操作レバー６０（本願の「操作部」に相当する）が回転支柱５７の側面に備えられ、側壁２２、支持筒体３１及び昇降キャップ５４に形成された孔又は切欠きを介して引戸収納ドア２１の下部の外側に突出している（図２参照）。
【００３９】
図７に示すように、引戸４０は、引戸収納ドア２１の第２幅狭側壁２６に形成された縦長の引出口２６Ａから引戸収納ドア２１内に挿入されている。また、図示しないが、引戸４０の上面は、引出口２６Ａの内面に隣接していて、引戸４０の上方への移動が規制されている。
【００４０】
引戸４０の戸尻側端部の下面における幅方向の中央には、図６（Ａ）に示した戸尻下端ローラー４２が備えられている。戸尻下端ローラー４２は、引戸４０の下面に形成された凹部に一部を受容されている。また、戸尻下端ローラー４２の周面は円弧状に膨出している。そして、引戸４０の引戸収納ドア２１に対する出し入れに伴って戸尻下端ローラー４２が引戸収納ドア２１のＶ字形ガイド面３０Ｇ上を転動する。
【００４１】
図６（Ａ）に示すように、引戸４０の戸尻側端部の上面からは、回転支持シャフト４１Ｓが突出していて、その回転支持シャフト４１Ｓに戸尻上端ローラー４１が回転可能に支持されている。また、戸尻上端ローラー４１は、引戸４０の両側面より側方に突出している。そして、戸尻上端ローラー４１がガイドレール２７の両対向面の間に隙間を空けて受容されている。なお、引戸４０の上端部と下端部は、それぞれガイドレール２７，２９の対向面間に受容されている。
【００４２】
図７に示すように、引戸４０の戸先側端部の下端には、引戸支持キャスター４３が備えられている。引戸支持キャスター４３は、引戸４０から下方に延びるベース部４３Ｂの下端部に本発明に係る引戸支持ローラー４３Ａを回転可能に備えている。そして、引戸４０の引戸収納ドア２１に対する出し入れに伴い、本発明に係る引戸支持ローラー４３Ａが床面Ｙ上を転動する。また、図２に示すように、引戸４０の戸先側端部の上端寄り位置には、内側面（ブース本体１１の内側に臨んだ面）と外側面（ブース本体１１の外側に臨んだ面）とに、手掛部４０Ｈが陥没した状態に形成されている。
【００４３】
引戸４０は、引戸収納ドア２１に奥まで押し込むと、引戸収納ドア２１内の図示しないストッパに戸尻側端部が当接して、図１（Ｂ）に示すように、戸先側端部以外の全体が引戸収納ドア２１に収納された収納完了位置に位置決めされる。また、引戸４０は、引戸収納ドア２１から引き出すと、引戸収納ドア２１内上部に備えた図示しないストッパに戸尻上端ローラー４１（図６（Ａ）参照）が当接して、図１（Ａ）に示すように戸尻側端部以外の全体が引戸収納ドア２１外に引き出された引出完了位置に位置決めされる。
【００４４】
図７に示すように、引戸４０の下面のうち、引戸４０が収納完了位置に配置された状態で昇降キャップ５４の真上となる位置には、乗上ローラー４４が回転可能に備えられている。乗上ローラー４４は、引戸４０の下面に形成された凹部に一部を受容され、引戸支持ローラー４３Ａと平行な回転軸を有する。また、乗上ローラー４４の周面は円筒面になっている。
【００４５】
乗上ローラー４４の下端部は、昇降キャップ５４が可動範囲の下端位置に配置されている状態では、昇降キャップ５４の平坦面５４Ｄ上又はその僅か上方に位置する。これにより、昇降キャップ５４が下端位置に配置された状態では、乗上ローラー４４を昇降キャップ５４に干渉させずに、引戸４０を収納完了位置と引出完了位置との間で移動することができる。また、引戸４０が収納完了位置に配置されると、昇降キャップ５４の上位への移動が規制されて、昇降キャップ５４が実質的に下端位置に保持される。これにより、引戸４０を収納完了位置に配置して伸縮部５９を縮小状態から伸張状態に変更すると、ドア支持キャスター５１が引戸収納ドア２１の下面から下方に突出して床面Ｙに押し付けられ、図８に示すように、引戸支持ローラー４３Ａ及び引戸収納ドア２１の下面（本発明の「ドア回動規制部」に相当する）が床面Ｙから離間する。
【００４６】
さらには、引戸４０を収納完了位置以外に配置しかつ昇降キャップ５４を可動範囲の上端位置に配置して、引戸４０を収納完了位置に向けて移動すると、乗上ローラー４４が昇降キャップ５４上に乗り上がって昇降キャップ５４を下端位置に押し下げる。これにより、ドア支持キャスター５１が引戸収納ドア２１の下面から下方に突出して床面Ｙに押し付けられ、前述した場合と同様に引戸支持ローラー４３Ａ及び引戸収納ドア２１の下面が床面Ｙから離間する（図８参照）。
【００４７】
本実施形態の簡易ブース１０の構成に関する説明は以上である。次に、この簡易ブース１０の作用効果について説明する。本実施形態の簡易ブース１０は、例えば、病室等の床面Ｙ上に載置されて簡易的なトイレルームとして使用される。その設置方法としては、例えば、簡易ブース１０を図４に示した折畳状態で病室に持ち込み、図３（Ｂ）に示すように第２対向壁１４を連絡壁１５に対して９０度回転した位置まで開き、次いで図３（Ａ）に示すように第１対向壁１３を連絡壁１５に対して９０度回転した位置まで開いて、ブース本体１１全体を平面形状「コの字状」の組立状態にする。この状態で、例えば、室内用の便座９０をブース本体１１内に載置する。
【００４８】
次いで、引戸ユニット２０の引戸収納ドア２１を第１対向壁１３に対して２７０度回動させて、ブース本体１１の出入口１６の略半分を引戸収納ドア２１にて閉じた状態にする。その際、図７に示すように引戸収納ドア２１の下面及び引戸支持ローラー４３Ａが床面Ｙに当接している場合には、操作レバー６０を操作して図８に示すように引戸収納ドア２１の下面からローラー５３を突出させ、引戸収納ドア２１の下面及び引戸支持ローラー４３Ａを床面Ｙから離間させる。これにより引戸収納ドア２１を第１対向壁１３に対して容易に回動させることができる。そして、引戸収納ドア２１が出入口１６の略半分を閉じる位置に至ったら操作レバー６０を操作して、引戸収納ドア２１の下面及び引戸支持ローラー４３Ａが床面Ｙに当接した状態に戻す。
【００４９】
以上により、簡易ブース１０の設置が完了し、引戸４０のスライド操作によりブース本体１１の出入口１６を開閉可能な状態になる。その引戸４０のスライド操作の際、引戸収納ドア２１は、下面が床面Ｙに当接して回動を規制されているので、引戸４０を安定して引戸収納ドア２１に対して出し入れすることができる。また、操作レバー６０を操作すれば、ドア支持キャスター５１が可動範囲の下端位置へと押し下げられて床面Ｙに押し付けられ、引戸収納ドア２１を容易に回動させることが可能になる。これにより、便座９０をブース本体１１から容易に出し入れすることができるし、簡易ブース１０の折り畳み作業も容易に行うことができる。その際、引戸４０が引戸収納ドア２１の収納完了位置まで押し込まれていなければ、操作レバー６０を操作してもドア支持キャスター５１は下端位置に押し下げられない。これにより、引戸４０が引戸収納ドア２１から引き出された状態で引戸収納ドア２１が回動することが規制され、引戸ユニット２０に過大な負荷がかかることが防がれる。
【００５０】
なお、伸縮部５９を予め伸張状態にしておいてから引戸４０を収納完了位置に向かって移動することで、ドア支持キャスター５１を下端位置に押し下げることができる。即ち、本実施形態の簡易ブース１０は、従来と同様の使い方も可能である。
【００５１】
［第２実施形態］
本実施形態は、図１２〜図１６に示されており、前記第１実施形態とは引戸ユニット２０Ｖにおける引戸収納ドア２１Ｖの構成のみが異なる。図１２に示すように、引戸ユニット２０Ｖの引戸収納ドア２１Ｖには、上面壁２３における第２幅狭側壁２６側の端部の外側面寄り位置に、上下に貫通したシャフト挿通孔２３Ａが備えられている。そのシャフト挿通孔２３Ａには、上下方向に延びた連絡シャフト５０が挿通されて回動可能に支持されている。また、図１３に示すように、連絡シャフト５０の下端部は、伸縮部５９の側方に位置し、伸縮部５９側に張り出した第１中継レバー６２を備え、さらに、その第１中継レバー６２の先端から上方に中継ピン６３が起立している。また、図１４（Ａ）に示すように回転支柱５７から側方に第２中継レバー６０Ｖが延び、その第２中継レバー６０Ｖには長孔６０Ｗが形成されている。そして、その長孔６０Ｗに連絡シャフト５０の中継ピン６３が下方から挿通されている。また、連絡シャフト５０を回動操作するために、連絡シャフト５０の上端部には、操作レバー６１が固定されている。
【００５２】
本実施形態の簡易ブース１０Ｖによれば、引戸収納ドア２１Ｖの上面に位置する操作レバー６１の操作により、ドア支持キャスター５１が昇降し、引戸収納ドア２１Ｖの回動が許容された状態と規制された状態とに切り替えることができる。具体的には、操作レバー６１の回動操作により図１４（Ａ）と図１４（Ｂ）とに示すように回転支柱５７が回動して伸縮部５９が伸縮し、図１５に示すように引戸収納ドア２１Ｖの下面が床面Ｙに当接した状態と、図１６に示すように引戸収納ドア２１Ｖの下面が床面Ｙから離間した状態とに変更することができる。
【００５３】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００５４】
（１）前記第１及び第２の実施形態では、操作レバー６０，６１に対する水平方向の回動操作によりドア支持キャスター５１が昇降する構成になっていたが、シーソー型の操作部を設けて、その操作部の上下方向の回動操作によりドア支持キャスターが昇降する構成としてもよい。
【００５５】
（２）前記第１及び第２の実施形態の引戸の代わりに、中空の第１引戸と、その第１引戸から引き出される第２引戸とからなる二重引戸を備えてもよい。即ち、特許４９６３１３７号公報に開示の構造のものに本発明を適用してもよい。
【００５６】
（３）前記第１実施形態の簡易ブース１０はトイレルームに使用されていたが、緊急災害時の避難所の仕切りのためや、保育園等の遊戯室に簡易小部屋を設置するために、本発明に係る簡易ブースを使用してもよい。
【符号の説明】
【００５７】
１０，１０Ｖ    簡易ブース
１１    ブース本体
１３    第１対向壁
１４    第２対向壁
１５    連絡壁
１６    出入口
２０，２０Ｖ    引戸ユニット
２１，２１Ｖ    引戸収納ドア
４３    引戸支持キャスター
４３Ａ  引戸支持ローラー
４４    乗上ローラー
５０    連絡シャフト
５１    ドア支持キャスター
５５    固定支柱
５５Ａ，５７Ａ    凹凸係合部
５６，５８    山形突部
５７    回転支柱
５９    伸縮部
６０，６１    操作レバー
Ｙ    床面
【図１】
2017218730.tif 000003
【図２】
2017218730.tif 000004
【図３】
2017218730.tif 000005
【図４】
2017218730.tif 000006
【図５】
2017218730.tif 000007
【図６】
2017218730.tif 000008
【図７】
2017218730.tif 000009
【図８】
2017218730.tif 000010
【図９】
2017218730.tif 000011
【図１０】
2017218730.tif 000012
【図１１】
2017218730.tif 000013
【図１２】
2017218730.tif 000014
【図１３】
2017218730.tif 000015
【図１４】
2017218730.tif 000016
【図１５】
2017218730.tif 000017
【図１６】
2017218730.tif 000018
【手続補正書】
【提出日】平成29年2月6日(2017.2.6)
【手続補正１】
【補正対象書類名】特許請求の範囲
【補正対象項目名】全文
【補正方法】変更
【補正の内容】
【特許請求の範囲】
【請求項１】
回動可能に支持されかつ中空構造の引戸収納ドアと、
前記引戸収納ドアのうち回動中心と反対側の端面に形成された引出口を通して、前記引戸収納ドアに収納可能な引戸とを備え、前記引戸の戸先側端部以外の全体が前記引戸収納ドア内に収納された収納完了位置と、前記引戸の戸尻側端部以外の全体が前記引戸収納ドア外に引き出された引出完了位置との間で前記引戸をスライド操作可能な引戸ユニットであって、
前記引戸の前記戸先側端部に取り付けられ、前記引戸のスライド方向で床面上を転動可能な引戸支持ローラーと、
前記引戸収納ドアの下面に設けられ、前記床面に当接して前記引戸収納ドアの回動を規制するドア回動規制部と、
前記引戸収納ドアのうち前記引出口側端部の下部に上下動可能に支持されたドア支持キャスターと、
操作部を有し、その操作部の操作により前記ドア支持キャスターを可動範囲の上端位置から下端位置へと移動して前記床面に押し付け、前記引戸支持ローラー及び前記ドア回動規制部が前記床面から離間する位置まで前記引戸収納ドアを上昇させる昇降機構とを備え、
前記昇降機構は、前記引戸が前記収納完了位置に位置しているときに前記操作部が受ける操作力を前記ドア支持キャスターに伝達する一方、前記引戸が前記収納完了位置以外に位置しているときに前記操作部から前記ドア支持キャスターへの操作力の伝達を遮断するように構成されている引戸ユニット。
【請求項２】
前記昇降機構は、
前記引戸収納ドアのうち前記引出口側端部における前記引戸より下側部分に上下動可能に支持されると共に下面に前記ドア支持キャスターを有しかつ、前記操作部の操作により上下方向で伸縮して伸張状態と縮小状態とに切り替わる伸縮部と、
前記引戸のうち前記収納完了位置で前記伸縮部に上方から対向する部分に設けられ、前記伸縮部が前記縮小状態から前記伸張状態へと切り替わることで前記ドア支持キャスターが前記下端位置に押し下げられるように前記伸縮部の上方への移動を規制する上方移動規制部と、
前記引戸のうち前記収納完了位置以外の位置で前記伸縮部に上方から対向する部分に設けられ、前記伸縮部が前記縮小状態から前記伸張状態へと切り替わっても前記ドア支持キャスターが前記上端位置に維持されるように前記伸縮部の上方への移動を許容する上方移動許容部とを備える請求項１に記載の引戸ユニット。
【請求項３】
前記伸縮部が前記伸張状態で前記引戸が前記収納完了位置に向かって移動したときに、前記上方移動規制部が前記伸縮部に乗り上がるように案内する乗上案内部を備える請求項２に記載の引戸ユニット。
【請求項４】
前記上方移動規制部又は前記伸縮部の一方に、前記引戸のスライド方向で転動するローラーが設けられ、他方に、前記引戸のスライド方向で傾斜した前記乗上案内部としての乗上斜面が設けられている請求項３に記載の引戸ユニット。
【請求項５】
前記引戸収納ドアには、前記引出口側端部における前記引戸より下側部分を上下に貫通する直動支持孔が設けられ、
前記伸縮部は、
前記直動支持孔に回転不能かつ上下動可能に支持されている第１直動部材と、
前記直動支持孔に回転可能かつ上下動可能で、前記第１直動部材に対して上側又は下側から当接し、前記操作部により回転操作される第２直動部材と、
前記第１直動部材のうち前記第２直動部材に対する当接面に形成され、複数の第１山形突部を垂直軸回りに並べてなる第１凹凸係合部と、
前記第２直動部材のうち前記第１直動部材に対する当接面に形成され、複数の第２山形突部を垂直軸回りに並べてなる第２凹凸係合部とを備え、
前記第２直動部材が前記第１直動部材に対して第１回転位置に配置されると、前記第１山形突部同士の間の谷部に前記第２山形突部が凹凸係合して前記伸縮部が前記縮小状態となり、前記第２直動部材が前記第１直動部材に対して第２回転位置に配置されると、前記第１山形突部の頂上部と前記第２山形突部の頂上部とが当接して前記伸縮部が前記伸張状態となる請求項４に記載の引戸ユニット。
【請求項６】
前記第１山形突部及び前記第２山形突部の両前記頂上部には、互いに面当接可能な平坦面が形成されている請求項５に記載の引戸ユニット。
【請求項７】
床面上で起立し、互いに対向する１対の対向壁の一方の側部同士の間を連絡壁にて連絡してなり、前記ブース本体のうち前記１対の対向壁の他方の側部同士の間が出入口をなし、前記１対の対向壁と前記連絡壁とを重ねた状態に折り畳み可能なブース本体と、
請求項１乃至６の何れか１の請求項に記載の引戸ユニットとを備えてなり、
前記引戸収納ドアは、一方の前記対向壁における前記出入口の一開口縁にヒンジ連結されて、前記一方の対向壁に重ねられる第１回動位置と、前記一方の対向壁に対して直交する第２回動位置との間を回動し、
前記引戸収納ドアが前記第２回動位置で前記引戸が前記収納完了位置と前記引出完了位置との間を移動することで前記出入口の一部が開閉される簡易ブース。
【手続補正２】
【補正対象書類名】明細書
【補正対象項目名】０００６
【補正方法】変更
【補正の内容】
【０００６】
上記目的を達成するためになされた請求項１の発明は、回動可能に支持されかつ中空構造の引戸収納ドアと、前記引戸収納ドアのうち回動中心と反対側の端面に形成された引出口を通して、前記引戸収納ドアに収納可能な引戸とを備え、前記引戸の戸先側端部以外の全体が前記引戸収納ドア内に収納された収納完了位置と、前記引戸の戸尻側端部以外の全体が前記引戸収納ドア外に引き出された引出完了位置との間で前記引戸をスライド操作可能な引戸ユニットであって、前記引戸の前記戸先側端部に取り付けられ、前記引戸のスライド方向で床面上を転動可能な引戸支持ローラーと、前記引戸収納ドアの下面に設けられ、前記床面に当接して前記引戸収納ドアの回動を規制するドア回動規制部と、前記引戸収納ドアのうち前記引出口側端部の下部に上下動可能に支持されたドア支持キャスターと、操作部を有し、その操作部の操作により前記ドア支持キャスターを可動範囲の上端位置から下端位置へと移動して前記床面に押し付け、前記引戸支持ローラー及び前記ドア回動規制部が前記床面から離間する位置まで前記引戸収納ドアを上昇させる昇降機構とを備え、前記昇降機構は、前記引戸が前記収納完了位置に位置しているときに前記操作部が受ける操作力を前記ドア支持キャスターに伝達する一方、前記引戸が前記収納完了位置以外に位置しているときに前記操作部から前記ドア支持キャスターへの操作力の伝達を遮断するように構成されている引戸ユニットである。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】変更
【補正の内容】
【０００８】
請求項２の発明は、前記昇降機構は、前記引戸収納ドアのうち前記引出口側端部における前記引戸より下側部分に上下動可能に支持されると共に下面に前記ドア支持キャスターを有しかつ、前記操作部の操作により上下方向で伸縮して伸張状態と縮小状態とに切り替わる伸縮部と、前記引戸のうち前記収納完了位置で前記伸縮部に上方から対向する部分に設けられ、前記伸縮部が前記縮小状態から前記伸張状態へと切り替わることで前記ドア支持キャスターが前記下端位置に押し下げられるように前記伸縮部の上方への移動を規制する上方移動規制部と、前記引戸のうち前記収納完了位置以外の位置で前記伸縮部に上方から対向する部分に設けられ、前記伸縮部が前記縮小状態から前記伸張状態へと切り替わっても前記ドア支持キャスターが前記上端位置に維持されるように前記伸縮部の上方への移動を許容する上方移動許容部とを備える請求項１又は２に記載の引戸ユニットである。
【手続補正５】
【補正対象書類名】明細書
【補正対象項目名】０００９
【補正方法】変更
【補正の内容】
【０００９】
請求項３の発明は、前記伸縮部が前記伸張状態で前記引戸が前記収納完了位置に向かって移動したときに、前記上方移動規制部が前記伸縮部に乗り上がるように案内する乗上案内部を備える請求項３に記載の引戸ユニットである。
【手続補正６】
【補正対象書類名】明細書
【補正対象項目名】００１０
【補正方法】変更
【補正の内容】
【００１０】
請求項４の発明は、前記上方移動規制部又は前記伸縮部の一方に、前記引戸のスライド方向で転動するローラーが設けられ、他方に、前記引戸のスライド方向で傾斜した前記乗上案内部としての乗上斜面が設けられている請求項４に記載の引戸ユニットである。
【手続補正７】
【補正対象書類名】明細書
【補正対象項目名】００１１
【補正方法】変更
【補正の内容】
【００１１】
請求項５の発明は、前記引戸収納ドアには、前記引出口側端部における前記引戸より下側部分を上下に貫通する直動支持孔が設けられ、前記伸縮部は、前記直動支持孔に回転不能かつ上下動可能に支持されている第１直動部材と、前記直動支持孔に回転可能かつ上下動可能で、前記第１直動部材に対して上側又は下側から当接し、前記操作部により回転操作される第２直動部材と、前記第１直動部材のうち前記第２直動部材に対する当接面に形成され、複数の第１山形突部を垂直軸回りに並べてなる第１凹凸係合部と、前記第２直動部材のうち前記第１直動部材に対する当接面に形成され、複数の第２山形突部を垂直軸回りに並べてなる第２凹凸係合部とを備え、前記第２直動部材が前記第１直動部材に対して第１回転位置に配置されると、前記第１山形突部同士の間の谷部に前記第２山形突部が凹凸係合して前記伸縮部が前記縮小状態となり、前記第２直動部材が前記第１直動部材に対して第２回転位置に配置されると、前記第１山形突部の頂上部と前記第２山形突部の頂上部とが当接して前記伸縮部が前記伸張状態となる請求項５に記載の引戸ユニットである。
【手続補正８】
【補正対象書類名】明細書
【補正対象項目名】００１２
【補正方法】変更
【補正の内容】
【００１２】
請求項６の発明は、前記第１山形突部及び前記第２山形突部の両前記頂上部には、互いに面当接可能な平坦面が形成されている請求項６に記載の引戸ユニットである。
【手続補正９】
【補正対象書類名】明細書
【補正対象項目名】００１３
【補正方法】変更
【補正の内容】
【００１３】
請求項７の発明は、床面上で起立し、互いに対向する１対の対向壁の一方の側部同士の間を連絡壁にて連絡してなり、前記ブース本体のうち前記１対の対向壁の他方の側部同士の間が出入口をなし、前記１対の対向壁と前記連絡壁とを重ねた状態に折り畳み可能なブース本体と、請求項１乃至７の何れか１の請求項に記載の引戸ユニットとを備えてなり、前記引戸収納ドアは、一方の前記対向壁における前記出入口の一開口縁にヒンジ連結されて、前記一方の対向壁に重ねられる第１回動位置と、前記一方の対向壁に対して直交する第２回動位置との間を回動し、前記引戸収納ドアが前記第２回動位置で前記引戸が前記収納完了位置と前記引出完了位置との間を移動することで前記出入口の一部が開閉される簡易ブースである。
【手続補正１０】
【補正対象書類名】明細書
【補正対象項目名】００１５
【補正方法】変更
【補正の内容】
【００１５】
また、本発明の引戸ユニットでは、引戸が引戸ユニットの収納完了位置まで押し込まれていなければ、操作部を操作してもドア支持キャスターが下端位置に押し下げられない。これにより、引戸が引戸収納ドアから引き出された状態で引戸収納ドアが回動することが規制され、引戸ユニットに過大な負荷がかかることが防がれる。
【手続補正１１】
【補正対象書類名】明細書
【補正対象項目名】００１６
【補正方法】変更
【補正の内容】
【００１６】
引戸が収納完了位置に位置していなければ、操作部を操作してもドア支持キャスターが下端位置に押し下げられない具体的な構成としては、請求項２の構成が挙げられ、それ以外に、例えば操作部をロックするロック位置とそのロックを解除するロック解除位置といの間で移動するロック部材を引戸収納ドアに設け、引戸が収納完了位置以外に位置しているときにロック部材がロック位置に配置されて操作部が操作不能になり、引戸が収納完了位置に位置しているときに引戸によってロック部材がロック解除位置に移動されて操作部が操作可能になる構成が挙げられる。
【手続補正１２】
【補正対象書類名】明細書
【補正対象項目名】００１７
【補正方法】変更
【補正の内容】
【００１７】
請求項３及び４の引戸ユニットでは、伸縮部を予め伸張状態にしていてから引戸を収納完了位置に向かって移動させることで、ドア支持キャスターを下端位置に押し下げることができる。即ち、従来と同様の使い方も可能になる。
【手続補正１３】
【補正対象書類名】明細書
【補正対象項目名】００１８
【補正方法】変更
【補正の内容】
【００１８】
請求項５の構成によれば、第１直動部材と第２直動部材とを備えてなる伸縮部において、操作部にて第２直動部材を回動させることで、第１直動部材の第１凹凸係合部と第２直動部材の第２凹凸係合部とが互いに凹凸係合した縮小状態と、互いの突部の頂上部同士が当接した伸張状態とになる。その際、第１凹凸係合部の突部である第１山形突部の斜面と、第２凹凸係合部の突部である第２山形突部の斜面とが摺接し、引戸収納ドアを昇降させることができる。
【手続補正１４】
【補正対象書類名】明細書
【補正対象項目名】００１９
【補正方法】変更
【補正の内容】
【００１９】
請求項６の構成によれば、第１山形突部及び第２山形突部の両頂上部の平坦面同士を当接させることで、伸縮部を伸張状態に保持することができる。
【手続補正１５】
【補正対象書類名】明細書
【補正対象項目名】００２０
【補正方法】変更
【補正の内容】
【００２０】
請求項７の発明によれば、簡易ブースの出入口を開閉する引戸を安定してかつ容易に引戸収納ドアに対して出し入れすることができる。